(57)【要約】  プレゼンスサーバ１３及び１４は、接続された機器のプレゼンス情報を保持することができ、また接続された機器からのプレゼンス参照要求に対して保持しているプレゼンスデータを送信する。メディア変換サーバ１５は、与えられた画像データ又は音声データを、指定した形式に変換する機能を有しており、プレゼンスサーバからの要求と携帯端末からの要求との両方を受け付けられる。データサーバ１６は、画像データや音声データを蓄積しているサーバであり、携帯端末１１や１２、パーソナルコンピュータ１７などからアクセスが可能である。データサーバ１６にアクセス可能な機器は、任意のデータをデータサーバ内のデータストレージ１６１に保存することができ、保存したデータは登録した機器・ユーザ以外からも参照可能である。
2007046369.tif 000002
【特許請求の範囲】
【請求項１】
プレゼンス情報を利用可能な第１の情報処理装置と、該第１の情報処理装置と情報のやり取りが可能であるプレゼンス情報を利用可能な第２の情報処理装置と、を有し、
前記第１の情報処理装置から前記第２の情報処理装置に渡される前記情報又は前記第１の情報処理装置に関するプレゼンス情報に基づいて、前記情報が該第２の情報処理装置では利用できない情報であると判断された場合に、前記第１の情報処理装置に関する第１のプレゼンス情報と前記第２の情報処理装置に関する第２のプレゼンス情報とに基づいて前記情報を前記利用できる形式に変換することを特徴とする情報処理システム。
【請求項２】
前記プレゼンス情報は、その機器が使用することができるデータ形式に関する情報を能力データとして示す情報を含むことを特徴とする請求項１に記載の情報処理システム。
【請求項３】
前記プレゼンス情報を保持するプレゼンスサーバを有することを特徴とする請求項１又は２に記載の情報処理システム。
【請求項４】
前記プレゼンス情報をネットワーク経由で直接やり取りすることを特徴とする請求項１に記載の情報処理システム。
【請求項５】
前記プレゼンスサーバは前記変換する機能を有する変換器を有することを特徴とする請求項３又は４に記載の情報処理システム。
【請求項６】
前記変換する機能を有するメディア変換サーバを備えることを特徴とする請求項３又は４に記載のプレゼンス情報処理システム。
【請求項７】
プレゼンス情報を利用可能な第１の情報処理装置と情報のやり取りが可能であるプレゼンス情報を利用可能な第２の情報処理装置であって、
前記第１の情報処理装置から前記第２の情報処理装置に渡される前記情報又は前記第１の情報処理装置に関するプレゼンス情報に基づいて、前記情報が該第２の情報処理装置では利用できない情報であると判断された場合に、前記第１の情報処理装置に関する第１のプレゼンス情報と前記第２の情報処理装置に関する第２のプレゼンス情報とに基づいて前記情報を前記利用できる形式に変換することを特徴とする第２の情報処理装置。
【請求項８】
プレゼンス情報を利用可能な第１の情報処理装置と情報のやり取りが可能であるプレゼンス情報を利用可能な第２の情報処理装置における情報処理方法であって、
前記第１の情報処理装置から前記第２の情報処理装置に対して前記第１の情報処理装置に関するプレゼンス情報を送るステップと、
前記第１の情報処理装置のプレゼンス情報に基づいて、前記情報が該第２の情報処理装置では利用できない情報であるか否かを判断するステップと、
利用できない情報と判断された場合に、前記第１の情報処理装置に関する第１のプレゼンス情報と前記第２の情報処理装置に関する第２のプレゼンス情報とに基づいて前記情報を前記利用できる形式に変換するステップと
を有することを特徴とする情報処理方法。
【請求項９】
コンピュータに請求項８に記載のステップを実行させるためのプログラムを記録するコンピュータ読みとり可能な記録媒体。
【請求項１０】
コンピュータに請求項８に記載のステップを実行させるためのプログラム。
【発明の詳細な説明】
【技術分野】
【０００１】
本発明は、プレゼンス情報を利用した情報処理技術に関し、特に通信機能を有する情報処理装置において、画像データ、音声データをプレゼンス情報のひとつとして利用する技術に関する。
【背景技術】
【０００２】
近年、SIP(RFC3261等)をベースとしたプレゼンス情報を利用する技術開発、サービス提供が盛んに行われている。従来の代表的な利用例を挙げると、MSN Messengerなどに代表されるインスタントメッセンジャーにおいて、相手の状態（在籍、不在、取り込み中、電話中など）を登録されたユーザに通知することにより、メッセージを送信しようとする相手が現在対応可能かどうかを事前に知ることができる。最近では、携帯電話に活用し、電話をかける前に相手の状態を調べたり、位置情報を管理して業務の効率化を図ろうとする技術も開発されつつある。【０００３】
このように、プレゼンスサービスはSIPによる通信の入り口として重要な役割を担うようになってきており、プレゼンス情報として扱うデータ次第で、今後より多くのサービスを提供できる。【０００４】
SIP及びSIPをベースとしたプレゼンスについては、IETFなどによって標準化が進められており、現在も様々な拡張が行われている。例えば特許文献１では、プレゼンス情報として登録する属性情報に加えて、それを補う修飾子を登録することで、より細かなデータのやり取りを可能とする技術が提案されている。【０００５】
さらに、プレゼンス情報を管理する対象を通信機器のユーザに限定するのではなく、機器や場所などに拡張することでより多くのサービス展開が可能である。例えばエアコンのプレゼンス（電源のオン／オフ、設定温度、室内温度など）、部屋のプレゼンス（室温、ドアの開閉状況、室内にいる人の人数など）などが挙げられる。【０００６】
ユビキタスコンピューティング技術の進展により、パーソナルコンピュータなどのいわゆるコンピュータだけでなく、家電機器など従来通信するという概念を持たなかった機器も１つの大きなネットワークに接続されるようになっていくことは容易に想像できる。そのとき、例えば出先から家の戸締りがなされているか確認したり、エアコンのスイッチが入っているかどうかを確認したり、部屋の温度を確認したり、といったように、遠隔から機器や環境の状態をいつでも確認できるようにするためにプレゼンス技術を利用することは有用である。
【特許文献１】特表2004-532478号公報
【発明の開示】
【発明が解決しようとする課題】
【０００７】
上記特許文献１では、在席、不在というような、テキスト情報で提供されるプレゼンスデータのほか、画像データや音声データなどをプレゼンス情報のひとつとして登録する手段を提供している。しかしながら、さまざまな機器がプレゼンス情報を共有するようになると、各機器間でそれぞれ取り扱うことのできるデータフォーマットに差異が生じやすいため、取り扱えなくなるデータが出てくる可能性が高い。【０００８】
本発明は、プレゼンス情報に含まれる画像データや音声データなどが、それを受信しようとする機器で使用できない形式である場合に、使用できる形式に変換する技術を提供することを目的とする。
【課題を解決するための手段】
【０００９】
プレゼンスサーバに登録された画像データや音声データ、あるいはプレゼンスサーバを介さず他の通信機器から直接受信した画像データや音声データが、プレゼンス情報を受信する機器において利用できない形式である場合に、それを利用できる形式に変換することを目的とするものである。【００１０】
プレゼンス情報を利用可能で、画像データや音声データを使用することができる形式がそれぞれ異なる２つの機器の間で画像データや音声データを含むプレゼンス情報のやり取りを行うときに、プレゼンス情報送信側の機器に、プレゼンス情報受信側の機器が使用可能な画像データ、音声データの形式を通知しておく。プレゼンス情報送信側の機器は、送信しようとするプレゼンス情報に、受信側の機器が使用できない形式の画像データあるいは音声データが含まれる場合、それらのデータを受信側の機器が使用できる形式に変換してから送信する。【００１１】
機器間でプレゼンス情報のやり取りを行う際にプレゼンスサーバが使用される場合には、受信側の機器が使用できる画像データや音声データの形式の情報を、その機器のプレゼンス情報のひとつとしてプレゼンスサーバに登録しておく。プレゼンスサーバは、プレゼンス情報を要求されたら、要求されたプレゼンス情報に要求元の機器が使用できない形式のデータが含まれているかどうかをチェックし、含まれている場合は使用できる形式に変換してから送信する。
【発明の効果】
【００１２】
本発明によれば、プレゼンス情報を相互にやりとりする機器あるいはソフトウェアにおいて、画像データや音声データなど取り扱えるデータの形式がそれぞれ異なる場合でも、プレゼンス情報のやり取りを行うことができるようになる。これにより、パソコンなど、多くの種類のデータ形式を扱える機器と、携帯端末などあまり多くの種類のデータ形式を扱えない機器の間で、柔軟なプレゼンス情報のやり取りを簡単に行うことができるようになり、プレゼンス情報を用いたサービスの多様化を促進することができる。
【図面の簡単な説明】
【００１３】
【図１】本発明の第１の実施の形態によるプレゼンス情報の表示・再生システムの一構成例を示す機能ブロック図である。
【図２】プレゼンス情報のデータ構成例を示す図である。
【図３】プレゼンス情報の表示・再生システムを用いてプレゼンス情報を受信する場合の処理の流れを示すフローチャート図である。
【図４】本発明の第２の実施の形態によるプレゼンス情報の表示・再生システムの一構成例を示す機能ブロック図である。
【符号の説明】
【００１４】
11  携帯端末
12  携帯端末
13  プレゼンスサーバ
131 プレゼンスデータベース
14  プレゼンスサーバ
141 プレゼンスデータベース
15  メディア変換サーバ
16  データサーバ
161 データストレージ
17  パーソナルコンピュータ（PC）
18  家電機器(例としてエアコン)
21  プレゼンスデータ
211 能力データ
212 画像データ
213 音声データ
【発明を実施するための最良の形態】
【００１５】
本明細書において、プレゼンス情報とは、どのようなデータを有しているか、どういう状態にあるかというような機器の状態や、どのような処理を行うことができるかなどの機器の能力、また、機器やソフトウェアを使用している者の状態等を示す情報として定義されるものである。なお、これらの情報を表現するためのデータ形式は特に制限されるものではない。例えば、”暑い”ということを伝える情報は、テキストで”暑い”でもよいし、”暑い”と鳴る音声データでも良いし、”暑”そうな顔の画像データでもよい、ということを意味する。【００１６】
以下、本発明の実施の形態による情報処理技術ついて図面を参照しながら説明を行う。図１は、本実施の形態によるプレゼンス情報を利用した情報処理装置を含む情報処理システムのシステム構成例を示す機能ブロック図である。図１に示すように、本実施の形態による情報処理システムは、プレゼンスサーバ１３及び１４と、メディア変換サーバ１５と、データサーバ１６と、携帯端末１１及び１２と、パーソナルコンピュータ１７と、家電機器（例えばエアコン）１８と、を有している。これらのいずれの機器も、何らかの通信機能を有している。【００１７】
携帯端末１１及び１２は、プレゼンスサーバ１３にアクセスしプレゼンス情報の登録・参照する機能と、メディア変換サーバ、データサーバにアクセスする機能とを有する携帯電話機やノート型ＰＣなどの装置である。【００１８】
プレゼンスサーバ１３及び１４は、接続された機器のプレゼンス情報を保持することができ、また接続された機器からのプレゼンス参照要求に対して保持しているプレゼンスデータを送信する機能を有する。ここで、プレゼンスサーバ１３は携帯端末１１及び１２に接続されており、プレゼンスサーバ１４はパーソナルコンピュータ１７と家電機器１８とに接続されているものとする。【００１９】
メディア変換サーバ１５は、与えられた画像データ又は音声データを、指定した形式に変換する機能を有しており、プレゼンスサーバからの要求と携帯端末からの要求との両方を受け付けられるようになっている。【００２０】
データサーバ１６は、画像データや音声データを蓄積しているサーバであり、携帯端末１１や１２、パーソナルコンピュータ１７などからアクセスが可能である。データサーバ１６にアクセス可能な機器は、任意のデータをデータサーバ内のデータストレージ１６１に保存させることができ、保存されたデータは登録した機器・ユーザ以外からも参照可能に構成されている。データサーバ１６は例えばHTTPサーバやFTPサーバなどとして実現される。【００２１】
情報処理装置（パーソナルコンピュータ）１７は、インスタントメッセージなどのプレゼンス情報を使用するソフトウェアが動作するコンピュータである。家電機器１８は、プレゼンス情報を扱うことができ、本実施の形態ではエアコンを例として説明する。【００２２】
図２は、本実施の形態によるプレゼンスデータの構成例を示す図である。図２に示すように、プレゼンスデータ２１は、その機器が使用することができる画像データ、音声データの形式の情報を能力データ２１１として持つことができる。能力データ２１１とは、例えば静止画像に関する能力であれば、コーデック種別（GIF、JPEG、PNGなど）、画像サイズ（60x60、160x120、VGAなど）などであり、動画像であればファイルフォーマット（AVI、MP4、RealMediaなど）、コーデック種別（mpeg4、DivXなど）、ビットレート、フレームレート、画像サイズなどであるが、どのような能力を登録するかということに関しては任意である。【００２３】
プレゼンスデータ２１は、画像データ２１２、音声データ２１３を持つことができる。画像データ２１２は静止画像であってもよいし、動画像であってもよい。また、画像データ２１２と音声データ２１３とは、それぞれ別のデータであってもよいし、１つの動画データ（例：AVI、RealMedia、MP4など）であってもよい。さらに、プレゼンス情報として表示させたい画像データ２１２や音声データ２１３は、プレゼンスサーバの外部のサーバにあってもよく、本実施の形態ではデータサーバ１６にあってもよいこととし、この場合、プレゼンスデータ２１は画像データ２１２の保存先情報（例：データサーバ１６がHTTPサーバであればhttp://aaa.bb.com/ccc/presence.aviなど）を持つ。【００２４】
図３は本実施の形態によるプレゼンス情報の表示・再生技術でプレゼンス情報を取得する場合の処理の流れを示すフローチャート図である。【００２５】
ここで、処理開始時点で、携帯端末１１、１２がプレゼンスサーバ１３に、パーソナルコンピュータ１７、エアコン１８のプレゼンス情報がプレゼンスサーバ１４に登録されているものとする。また、パーソナルコンピュータ１７の画像データはデータサーバ１６に保持されているものとする。【００２６】
ステップＳ３１において、プレゼンス情報を取得しようとする機器は、プレゼンスサーバに対してプレゼンス情報取得要求を出す。ステップＳ３２において、プレゼンス情報取得要求を受けたプレゼンスサーバは、要求されたプレゼンスデータと、要求元のユーザのプレゼンス情報と、を読み出す。ステップＳ３３において、要求されたプレゼンス情報が画像データもしくは音声データを含むか否かをチェックし、それらを含まなければステップＳ３６に遷移し、含むのであれば続いてステップＳ３４の処理を行う。【００２７】
ステップＳ３４において、要求元の機器のプレゼンス情報に画像データか音声データの使用することができる形式を示す能力データが含まれているか否かを判別する。要求されたプレゼンス情報に画像データが含まれる場合には、画像データについての能力データが必要であり、音声データが含まれる場合には音声データについての能力データが必要である。要求されたプレゼンス情報に画像データと音声データの両方が含まれる場合には、画像データと音声データのうち少なくともいずれか一方の能力データが必要である。これらのいずれかの条件を満たす場合には、続いてステップＳ３５の処理を行う。いずれの条件も満たさない場合、すなわち要求されたプレゼンス情報に画像データも音声データも含まない場合には、ステップＳ３６の処理へと進む。【００２８】
ステップＳ３５において、メディア変換サーバによって、要求されたプレゼンス情報に含まれる画像データと音声データのうち、要求元の機器で使用不可能な形式のデータを使用可能な形式に変換する。さらに、ステップＳ３２で読み出した要求されたプレゼンス情報のうち、使用不可能な形式のデータの部分を変換後のデータに置き換える。【００２９】
ステップＳ３６において、要求されたプレゼンス情報を要求元の機器に送信し、プレゼンス情報取得に関する一連の処理は終了する。【００３０】
図３に示した処理について具体例を挙げて説明する。図１に示すように接続されたプレゼンスシステムにおいて、携帯端末１１が携帯端末１２のプレゼンス情報を取得しようとしている。まず携帯端末１１からプレゼンスサーバ１３に対して携帯端末１２に関するプレゼンス情報の取得要求を出す。プレゼンスサーバ１３は、携帯端末１１と携帯端末１２のプレゼンス情報を読み出し、要求のあった、携帯端末１２のプレゼンス情報には携帯端末１１では使用できない形式の画像データが含まれていたとする。プレゼンスサーバ１３は当該画像データと携帯端末１１が使用可能な画像データの形式をメディア変換サーバに送信し、変換する。その後携帯端末１２のプレゼンス情報を携帯端末１１に送信する。【００３１】
以上に説明したように、本実施の形態による表示・再生システムにおいては、プレゼンス情報を相互にやりとりする機器あるいはソフトウェアにおいて、画像データや音声データなど取り扱えるデータの形式がそれぞれ異なる場合でも、プレゼンス情報のやり取りを行うことができるようになる。これにより、パーソナルコンピュータなど、多くの種類のデータ形式を扱える機器と、携帯端末などあまり多くの種類のデータ形式を扱えない機器の間で、柔軟なプレゼンス情報のやり取りを簡単に行うことができるようになり、プレゼンス情報を用いたサービスの多様化を促進することができる。【００３２】
次に、本発明の第２の実施の形態によるプレゼンス情報の表示・再生に関するシステムについて説明する。図４は、本実施の形態によるプレゼンス情報の表示・再生に関するシステム構成例を示す機能ブロック図である。図１に示した構成との相違点は、図１に示した実施の形態では、プレゼンス情報のやり取りのためにプレゼンスサーバを利用したが、図４に示す構成では、機器１１、１２、１７、１８間で、ネットワーク経由で直接プレゼンス情報をやり取りするような構成を有している。この場合、機器がプレゼンス情報を取得し（それぞれのメモリ１３ａ、１３ｂ、１４ａ、１４ｂに格納し）、メディア変換サーバ１５を使用して格納された利用できないデータを変換する方法をとることができる。【００３３】
尚、第１の実施の形態では、携帯端末１１が能力データを含まない状態でプレゼンスデータをプレゼンスサーバに登録しておくと、プレゼンスサーバが携帯端末１２のプレゼンス情報を携帯端末１１に送信する際、プレゼンスサーバはメディア変換サーバを使用せず、登録されているプレゼンス情報をそのまま携帯端末１１に送信する。この際、送信するプレゼンスデータ中に携帯端末１１が取り扱うことができない形式のデータが含まれるかどうかは判断しない。携帯端末１１は、受信したプレゼンスデータ中に取り扱うことができない形式のデータが含まれる場合、そのデータをメディア変換サーバに送信し、可能ならば取り扱うことのできる形式に変換して利用する。【００３４】
一方、本実施の形態では、機器がプレゼンス情報を取得しメディア変換サーバ１５を使用して格納された利用できないデータを変換することができるため、能力データを含まない状態でプレゼンスデータをプレゼンスサーバ等に登録しておき、プレゼンス情報を受信した後に、プレゼンスサーバ側からではなく端末１１、１２側からメディア変換サーバを利用してデータ変換をすることも可能である。さらに、利用することのできる画像データや音声データの能力情報は、プレゼンス情報をプレゼンスサーバに要求するときに通知する方法をとってもよい。【００３５】
また、画像データと音声データが利用できない場合についての例を挙げたが、そのままでは使用できないが何らかの変換を施すことによって使用できる形式となるデータを扱うような拡張をすることは可能である。
【産業上の利用可能性】
【００３６】
本発明はネットワーク化された機器システムに利用可能である。
【図１】
2007046369.tif 000003
【図２】
2007046369.tif 000004
【図３】
2007046369.tif 000005
【図４】
2007046369.tif 000006
【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
その機器が使用することができるデータ形式に関する情報を能力データとして示されるプレゼンス情報を利用可能な第１の情報処理装置と、該第１の情報処理装置と情報のやり取りが可能であるプレゼンス情報を利用可能な第２の情報処理装置と、を有し、
前記第１の情報処理装置から前記第２の情報処理装置に渡される前記情報又は前記第１の情報処理装置に関するプレゼンス情報に基づいて、前記情報が該第２の情報処理装置では利用できない情報であると判断された場合に、前記第１の情報処理装置に関する第１のプレゼンス情報と前記第２の情報処理装置に関する第２のプレゼンス情報とに基づいて前記情報を前記利用できる形式に変換することを特徴とする情報処理システム。
【請求項２】
前記第２の情報処理装置から前記第１の情報処理装置に要求されたプレゼンスデータは、画像データもしくは音声データを含む場合に、要求元端末である前記第２の情報処理装置のプレゼンスデータが、画像あるいは音声データのデコード能力情報を含む場合に、前記第１の情報処理装置が、その画像、音声データを要求元端末である前記第２の情報処理装置がデコード可能な形式に変換することを特徴とする請求項１に記載の情報処理システム。
【請求項３】
前記プレゼンス情報を保持するプレゼンスサーバを有することを特徴とする請求項１又は２に記載の情報処理システム。
【請求項４】
前記プレゼンス情報をネットワーク経由で直接やり取りすることを特徴とする請求項１に記載の情報処理システム。
【請求項５】
前記プレゼンスサーバは前記変換する機能を有する変換器を有することを特徴とする請求項３又は４に記載の情報処理システム。
【請求項６】
前記変換する機能を有するメディア変換サーバを備えることを特徴とする請求項３又は４に記載のプレゼンス情報処理システム。
【請求項７】
その機器が使用することができるデータ形式に関する情報を能力データとして示されるプレゼンス情報を利用可能な第１の情報処理装置と情報のやり取りが可能であるプレゼンス情報を利用可能な第２の情報処理装置であって、
前記第１の情報処理装置から前記第２の情報処理装置に渡される前記情報又は前記第１の情報処理装置に関するプレゼンス情報に基づいて、前記情報が該第２の情報処理装置では利用できない情報であると判断された場合に、前記第１の情報処理装置に関する第１のプレゼンス情報と前記第２の情報処理装置に関する第２のプレゼンス情報とに基づいて前記情報を前記利用できる形式に変換することを特徴とする第２の情報処理装置。
【請求項８】
その機器が使用することができるデータ形式に関する情報を能力データとして示されるプレゼンス情報を利用可能な第１の情報処理装置と情報のやり取りが可能であるプレゼンス情報を利用可能な第２の情報処理装置における情報処理方法であって、
前記第１の情報処理装置から前記第２の情報処理装置に対して前記第１の情報処理装置に関するプレゼンス情報を送るステップと、
前記第１の情報処理装置のプレゼンス情報に基づいて、前記情報が該第２の情報処理装置では利用できない情報であるか否かを判断するステップと、
利用できない情報と判断された場合に、前記第１の情報処理装置に関する第１のプレゼンス情報と前記第２の情報処理装置に関する第２のプレゼンス情報とに基づいて前記情報を前記利用できる形式に変換するステップと
を有することを特徴とする情報処理方法。
【請求項９】
コンピュータに請求項７に記載のステップを実行させるためのプログラムを記録するコンピュータ読みとり可能な記録媒体。
【請求項１０】
コンピュータに請求項８に記載のステップを実行させるためのプログラム。
【国際調査報告】
2007046369.tif 000007
2007046369.tif 000008